(57)【要約】【課題】本発明は、溝内の部材が簡素化され、充填材の形状が簡単で種類も少なく、かつ、連結部をなくした砂防堰堤用土砂捕捉部材を提供することを目的とする。【解決手段】複数本の梁部材２２と、各梁部材２２から上方、下方に突出した上向き突出部２２ｂ、下向き突出部２２ａと、各溝において各梁部材２２の両端を上下方向と上下流方向にガイド可能な所定形状を有した充填材としての発泡スチロール４０〜４５と、各梁部材２２の上方移動を規制するために各梁部材２２の内の最頂部の梁部材２２の上方に設けた梁部材上方移動規制手段としての規制板５０ｂ、５１ｂ、アンカーボルト６０とナット６１と、を備え、上向き突出部２２ｂと下向き突出部２２ａとを溝外の位置で当接させ各梁部材２２同士の間に所定の間隙が確保されるように構成されたことを特徴とする。【選択図】図３
2010168891.tif 000002
【特許請求の範囲】
【請求項１】
左右の堰堤本体部の間に水路が形成され、この水路に面する前記両堰堤本体部の内側面に上下方向に延びる溝が形成された透過型砂防堰堤に用いられ、前記水路中で土砂を捕捉する土砂捕捉部材であって、
水平方向に延び、両端に前記各溝内に入り込む長さを有し、かつ、上下に配列された複数本の梁部材と、
前記各梁部材から上方または下方の少なくともいずれか一方に突出した複数の突出部と、前記各溝において前記各梁部材の両端を上下方向または上下流方向の内の少なくとも上下方向にガイド可能な所定形状を有した充填材と、
前記各梁部材の上方移動を規制するために前記各梁部材の内の最頂部の梁部材の上方に設けた梁部材上方移動規制手段と、を備え、
前記各梁部材の間に介在する前記上方に突出した複数の突出部（以下、「上向き突出部」と称す）と前記下方に突出した複数の突出部（以下、「下向き突出部」と称す）とを前記溝外の位置で当接させることにより、
前記各梁部材同士の間に所定の間隙が確保されるように構成されたことを特徴とする砂防堰堤用土砂捕捉部材。
【請求項２】
前記充填材は、前記各梁部材の両端部の外形に沿った内面形状を備えてなり、前記両端部を覆うように構成されてなることを特徴とする請求項１に記載の砂防堰堤用土砂捕捉部材。
【請求項３】
前記溝外の位置で当接された上向き突出部と下向き突出部において、前記上向き突出部の外周の先端側または前記下向き突出部の外周の先端側の少なくともいずれか一方に、前記各梁部材の回転を規制するための規制手段が設けられたことを特徴とする請求項１または２に記載の砂防堰堤用土砂捕捉部材。
【発明の詳細な説明】
【技術分野】
【０００１】
本発明は、山岳地の渓流・沢等に設置される透過型砂防堰堤において、その水路に土砂が急激に流れる際に当該土砂を捕捉するための技術に関するものである。
【背景技術】
【０００２】
一般に、急激な土砂の流出による山間地の荒廃や滞砂による貯水機能の低下等を防止する手段として、砂防堰堤が多く設置されている。この砂防堰堤は、梅雨や台風等の集中豪雨により発生する土石流の被害から民家、施設、道路等を守るためにもその設置が望まれているところである。
【０００３】
このような砂防堰堤は、概して不透過型砂防堰堤と透過型砂防堰堤とに大別される。このうち透過型砂防堰堤は、通常時に流れる小礫や泥水は下流側に透過させて不要な堰き止めを回避する一方、土石流発生時には前記小礫等に先行して流下する巨礫や流木を捕捉して下流側での被害を食い止めるという利点を有している。
【０００４】
このような透過型砂防堰堤として、上下方向に延びる水路を挟んでその左右両側に堰堤本体部が配置され、この水路に面する両堰堤本体部の内側面に上下方向に延びる溝が形成され、土砂捕捉部材がこの溝に挟まれるように構成されたものが知られている（例えば、特許文献１を参照）。
【０００５】
上記特許文献１に記載された土砂捕捉部材は、水平方向に延び、両端に各溝内に入り込む長さを有し、かつ、上下に配列された複数本の梁部材と、各梁部材同士の間に所定の間隙が確保されるように、各梁部材の間に介在された複数のスペーサと、各スペーサと各梁部材とを溝内の位置で連結させるために各梁部材の溝内の位置に設けられた複数のスペーサ連結部と、を有している。
【先行技術文献】
【特許文献】
【０００６】
【特許文献１】特開２００７−５６４８８号公報
【発明の概要】
【発明が解決しようとする課題】
【０００７】
しかしながら、上記特許文献１に記載された土砂捕捉部材を用いた場合は、以下のような問題点が存在する。
【０００８】
溝内には土砂が侵入して連結部に絡み合い、土砂が取り出せなくなる。これを防ぐため発泡スチロールなどで、連結部以外の空間部を埋めつくさなければならない。しかし、連結部は複雑な構造であるため、発泡スチロールも複雑で種類も多くなるという問題点を含んでいた。また、連結部を溝外に出した場合も、その箇所に土砂が絡み、次に連結部を取り外せなくなるという問題点も含んでいる。
【０００９】
本発明の目的は、溝内の部材を簡素化して充填する発泡スチロールの形状を簡単にし、種類を少なくすること、また、連結部をなくして、その箇所に土砂が絡まないようにすることである。さらに、連結をなくすことにより、部材が上方向に移動する力に抵抗できる工夫をすることも目的のひとつである。
【課題を解決するための手段】
【００１０】
この目的を達成するために、本発明の請求項１に記載の発明は、
左右の堰堤本体部の間に水路が形成され、この水路に面する前記両堰堤本体部の内側面に上下方向に延びる溝が形成された透過型砂防堰堤に用いられ、前記水路中で土砂を捕捉する土砂捕捉部材であって、
水平方向に延び、両端に前記各溝内に入り込む長さを有し、かつ、上下に配列された複数本の梁部材と、
前記各梁部材から上方または下方の少なくともいずれか一方に突出した複数の突出部と、前記各溝において前記各梁部材の両端を上下方向または上下流方向の内の少なくとも上下方向にガイド可能な所定形状を有した充填材と、
前記各梁部材の上方移動を規制するために前記各梁部材の内の最頂部の梁部材の上方に設けた梁部材上方移動規制手段と、を備え、
前記各梁部材の間に介在する前記上方に突出した複数の突出部（以下、「上向き突出部」と称す）と前記下方に突出した複数の突出部（以下、「下向き突出部」と称す）とを前記溝外の位置で当接させることにより、
前記各梁部材同士の間に所定の間隙が確保されるように構成されたことを特徴とする砂防堰堤用土砂捕捉部材である。
【００１１】
請求項２に記載の発明は、請求項１に記載の発明において、前記充填材が、前記各梁部材の両端部の外形に沿った内面形状を備えてなり、前記両端部を覆うように構成されてなることを特徴とするものである。
【００１２】
請求項３に記載の発明は、請求項１または２に記載の発明において、前記溝外の位置で当接された上向き突出部と下向き突出部において、前記上向き突出部の外周の先端側または前記下向き突出部の外周の先端側の少なくともいずれか一方に、前記各梁部材の回転を規制するための規制手段が設けられたことを特徴とするものである。
【発明の効果】
【００１３】
以上のように、本発明の請求項１に記載の発明によれば、各梁部材同士を一箇所ずつ締結させる必要がないため、下方の梁部材の設置誤差が上方の梁部材の設置誤差として累積するようなことはない。また、充填材も種々雑多な多くの形状は必要なく、数種類の所定形状のもので済み、かつ、その取り付けも容易である。また、溝内に連結部もなく、かつ、溝内に充填材が設置されているため、土砂が絡まることもない。また、梁部材上方移動規制手段が設けられているため、梁部材が上方へ移動するのを抑えることができる。また、上方や下方に突出した突出部により、土石流の捕捉効果がより向上する。
【００１４】
また、請求項２に記載の発明によれば、充填材が、各梁部材の両端部の外形に沿った内面形状を備えてなり、両端部を覆うように構成されているため、土砂捕捉部材が土石流の圧力を受けたときにその荷重を受け止め、かつ、梁部材の両端部及び溝の内側面の損傷を有効に抑止することが可能となる。
【００１５】
また、請求項３に記載の発明によれば、溝外の位置で当接された上向き突出部と下向き突出部において、前記上向き突出部の外周の先端側または前記下向き突出部の外周の先端側の少なくともいずれか一方に、前記各梁部材の回転を規制するための規制手段が設けられているため、土砂捕捉部材が激しい土石流を捕捉した場合にも前記各梁部材が回転するのを防止できる。また、前記規制手段は、各梁部材を順次積み重ねる施工工程時のガイド手段の役目も果たす。
【図面の簡単な説明】
【００１６】
【図１】本発明の実施の形態１に係る透過型砂防堰堤の本体部分を下流側から見た斜視図である。
【図２】本発明の実施の形態１に係る砂防堰堤用土砂捕捉部材を図１に示す透過型砂防堰堤の本体部分の上方から見た平面図である。
【図３】溝内に設置された同砂防堰堤用土砂捕捉部材を充填材とともに取り出し、下流側から見た正面図である。
【図４】図３のＣ部拡大図である。
【図５】図３に示す砂防堰堤用土砂捕捉部材の各梁部材の両端に設置された発泡スチロールの形状を詳細に説明するための斜視図である。
【図６】本発明の実施の形態２に係る砂防堰堤用土砂捕捉部材であって、溝内に設置された砂防堰堤用土砂捕捉部材を充填材とともに取り出し、下流側から見た正面図である。
【図７】図６のＤ部拡大図である。
【図８】図７に示す規制手段の別の形態を説明するための拡大図である。
【図９】図８に示す規制手段の形状を説明するために、規制手段を上方から見た説明図である。
【図１０】図８に示す規制手段の別の形状を説明するために、規制手段を上方から見た説明図である。
【発明を実施するための形態】
【００１７】
以下、本発明の一実施の形態について、添付図面を参照しながら説明する。
【００１８】
（実施の形態１）
図１は、本発明の実施の形態１に係る透過型砂防堰堤の本体部分１０を下流側から見た斜視図である。この本体部分１０は例えばコンクリートにより構築され、河床Ｆから立直する右左（下流側から見て右左）の堰堤本体部１１、１２と、両堰堤本体部１１、１２の下部同士を河床下で連結する連結部１４とを有し、この連結部１４上で両堰堤本体部１１、１２同士の間に水路１６が形成されている。すなわち、この水路１６は、所定幅（例えば５ｍ）をもった有底スリット状をなしている。
【００１９】
さらに、水路１６に面する両堰堤本体部１１、１２の内側面には、上下方向に延びる溝１８がそれぞれ凹設されている。これらの溝１８は、図例では鉛直方向を向き、平面視コ字状をなしている。
【００２０】
図２（ａ）は、本発明の実施の形態１に係る砂防堰堤用土砂捕捉部材２０の平面図であり、図１に示す透過型砂防堰堤の本体部分１０の溝１８に設置された様子を上方から見たものである。また、図２（ｂ）は、図２（ａ）のＡ部詳細であり、梁部材２２の上方移動を規制するために最頂部の梁部材２２の上方に設けた梁部材上方移動規制手段としての下流側から見て左側の規制板ユニット５０（３つの矩形の規制板５０ａ、５０ｂ、５０ｃより構成される）、アンカーボルト６０とナット６１を示す。また、図２（ｃ）は、図２（ａ）のＢ部詳細であり、梁部材２２の上方移動を規制するために最頂部の梁部材２２の上方に設けた梁部材上方移動規制手段としての下流側から見て右側の規制板ユニット５１（３つの矩形の規制板５１ａ、５１ｂ、５１ｃより構成される）、アンカーボルト６０とナット６１を示す。
【００２１】
図３は、溝１８に設置された砂防堰堤用土砂捕捉部材２０を後述する充填材とともに取り出し、下流側から見た正面図である。図３においては、上記砂防堰堤用土砂捕捉部材２０および充填材に、規制板５０ｂ、５１ｂ、アンカーボルト６０とナット６１、堰堤本体部１１、１２が併記されている。
【００２２】
図３に示す砂防堰堤用土砂捕捉部材２０は、水平方向に延び、両端に各溝１８内に入り込む長さを有し、かつ、上下に配列された複数本の梁部材２２と、各梁部材２２から上方または下方の少なくともいずれか一方に突出した複数の突出部２２ｂ、２２ａと、各溝１８において各梁部材２２の両端を上下方向および上下流方向にガイド可能な所定形状を有した充填材４０〜４５（詳細は、図５において後述する）と、各梁部材２２の上方移動を規制するために各梁部材２２の内の最頂部の梁部材２２の上方に設けた梁部材上方移動規制手段としての規制板ユニット５０、５１（ここでは、規制板５０ｂ、５１ｂ、アンカーボルト６０とナット６１のみ示す）と、を備え、各梁部材２２の間に介在する上方に突出した複数の突出部（以下、「上向き突出部」と称す）２２ｂと下方に突出した複数の突出部（以下、「下向き突出部」と称す）２２ａとを溝１８外の位置で当接させることにより、各梁部材２２同士の間に所定の間隙が確保されるように構成されている。
【００２３】
各梁部材２２は、一方向に延びる形状を有するものであればよく、例えば中実棒や角パイプでも構成することが可能であるが、図例では比較的軽量で、どの方向から荷重が作用しても同じ抵抗を有する、円形断面の鋼管により構成されている。また、上記上・下向き突出部２２ｂ、２２ａに関しても、例えば中実棒や角パイプでも構成することが可能であるが、図例では比較的軽量で量産容易な円形断面の鋼管を用い、その先端を鋼製の円板で蓋をしたような構成にしてある。
【００２４】
図４は、図３のC部拡大図であり、上記上・下向き突出部２２ｂ、２２ａ同士が当接する状態を示す。このように、上・下向き突出部２２ｂ、２２ａ同士は当接するだけで、従来のようにスペーサを介して各梁部材同士をスペーサ連結部で一箇所ずつ締結させる必要がないため、下方の梁部材２２の設置誤差が上方の梁部材２２の設置誤差として累積するようなこともない。それでありながら、梁部材２２同士の間に所定の間隙が確保され、かつ、各梁部材２２の支持が可能である。また、上・下向き突出部２２ｂ、２２ａ同士は、当接するだけで締結させていないため、上・下向き突出部２２ｂ、２２ａ突出部を水や土砂からの損傷を受けないように特段の保護をする必要もない。
【００２５】
図５は、図３に示す砂防堰堤用土砂捕捉部材２０の各梁部材２２の両端に設置された充填材としての発泡材（例えば発泡スチロール）の形状を詳細に説明するための斜視図である。
【００２６】
図５（ａ）は、最上部にある梁部材２２の左端部の外形に沿った内面形状を備えてなり、前記左端部に当接し上方から覆うように構成されてなる発泡スチロール４０である。また、この発泡スチロール４０は、上述した平面視コ字状の溝１８に適合する概ね直方体形状をしている（以下、後述する発泡スチロール４１、４２、４３、４４、４５もすべて上述した平面視コ字状の溝１８に適合する概ね直方体形状をしている。）。また、発泡スチロール４０および後述する発泡スチロール４１、４２、４３、４４、４５の上下方向のそれぞれの高さは、各梁部材２２間に要求される所定の間隙に適合する寸法に設定されている。
【００２７】
図５（ｂ）は、最上部から最下部までの複数の梁部材２２の左端部の外形に沿った内面形状を備えてなり、前記左端部に当接し覆うように構成されてなる発泡スチロール４１である。
【００２８】
図５（ｃ）は、最下部にある梁部材２２の左端部の外形に沿った内面形状を備えてなり、前記左端部に当接し下方から覆うように構成されてなる発泡スチロール４２である。
【００２９】
図５（ｄ）は、最上部にある梁部材２２の右端部の外形に沿った内面形状を備えてなり、前記右端部に当接し上方から覆うように構成されてなる発泡スチロール４３である。
【００３０】
図５（ｅ）は、最上部から最下部までの複数の梁部材２２の右端部の外形に沿った内面形状を備えてなり、前記右端部に当接し覆うように構成されてなる発泡スチロール４４である。
【００３１】
図５（ｆ）は、最下部にある梁部材２２の右端部の外形に沿った内面形状を備えてなり、前記右端部に当接し下方から覆うように構成されてなる発泡スチロール４５である。
【００３２】
上記各梁部材２２の直径を統一することにより、上記発泡スチロール４０〜４５の内面形状も統一され、規格化された充填材として用意可能であり、より好ましい。
【００３３】
次に、砂防堰堤用土砂捕捉部材２０を砂防堰堤本体部分１０に施工する方法の例を説明する。
【００３４】
工程１：半円柱状の窪みを上にした図５（ｃ）に示す発泡スチロール４２と図５（ｆ）に示す発泡スチロール４５をそれぞれ左右の溝１８内に挿入する。次に、最下部用の梁部材２２を上向き突出部２２ｂが上方を向くようにして、発泡スチロール４２、４５の上に設置する。
【００３５】
工程２：半円柱状の窪みを上下に向けた図５（ｂ）に示す発泡スチロール４１と図５（ｅ）に示す発泡スチロール４４をそれぞれ左右の溝１８内に挿入し、最下部用の梁部材２２の上に設置する。
【００３６】
工程３：以降、砂防堰堤用土砂捕捉部材２０として要求される所定の回数（本実施の形態においては、各８回）だけ、上・下向き突出部２２ｂ、２２ａを有した梁部材２２と充填材（発泡スチロール４１、４４）を交互に積み重ねる。
【００３７】
工程４：次に、最頂部の梁部材２２を下向き突出部２２ａが下方を向くようにして、発泡スチロール４１、４４の上に設置し、その上に半円柱状の窪みを下にした図５（ａ）に示す発泡スチロール４０と図５（ｄ）に示す発泡スチロール４３をそれぞれ左右の溝１８内に挿入し、最頂部の梁部材２２の両端部を覆う。最後に、下流側から見て左側の規制板ユニット５０（３つの矩形の規制板５０ａ、５０ｂ、５０ｃより構成される）、アンカーボルト６０とナット６１と下流側から見て右側の規制板ユニット５１（３つの矩形の規制板５１ａ、５１ｂ、５１ｃより構成される）、アンカーボルト６０とナット６１により各梁部材２２の上方移動を規制するように、発泡スチロール４０、４３の上から固定する。
【００３８】
また、本発明に係る砂防堰堤用土砂捕捉部材２０では、各梁部材２２同士の間に介在する上向き突出部２２ｂと下向き突出部２２ａとを溝１８外の位置で当接するように構成されているため共通の梁部材２２を用いながらも、その使用本数を変えるだけで、砂防堰堤用土砂捕捉部材２０全体の高さを自由に設定することができる。すなわち、梁部材２２の形状や構造を変更しなくても、砂防堰堤用土砂捕捉部材２０の高さを使用条件により設定される目標寸法（例えば水路１６の高さや水路１６において想定される土石流の流量により決定される寸法）に近づけることができる。また、この砂防堰堤用土砂捕捉部材２０では、上記上・下向き突出部２２ｂ、２２ａの寸法を予め適宜変えることにより、梁部材２２同士の間隔も変更することが可能である。
【００３９】
ここで、梁部材２２の形状や寸法、梁部材２２同士の間隙寸法は、要求される土石流の捕捉性能に応じて適宜設定すればよい。目安として、梁部材２２同士の間隙寸法は、堰き止め対象となる土石流の最大礫径と同程度またはそれ以下とするのがよい。
【００４０】
また、本発明に係る砂防堰堤用土砂捕捉部材およびこれを用いた透過型砂防堰堤では、上述したような施工方法を採用することが可能であるため、各溝１８の内側開口部分の各梁部材２２が存在しない領域に発泡スチロール４０、４１、４２、４３、４４、４５を容易に充填できる。また、各溝１８の内側開口部分に発泡スチロール４０、４１、４２、４３、４４、４５が充填されているため、各溝１８の内側開口部分への土石流の侵入を抑止できる。
【００４１】
なお、本実施の形態においては、軽量で扱いが容易であることから充填材として発泡スチロールを用いた例について説明したが、必ずしもこれに限定されるものではなく、さまざまな材質のものを広く利用可能である。例えば、充填材として、上記発泡スチロールに代えて鋼材等の金属を用いたならば、各梁部材２２の間に介在する前記充填材と各梁部材２２の両端部を当接させることで、各梁部材２２の重量を直接負担できるばかりか、各梁部材２２同士の間に所定の間隙を確保することもできる。したがって、この場合には、必ずしも上記下向き突出部２２ａと上向き突出部２２ｂとを当接させることを要さず、対峙させるだけでもよい。
【００４２】
また、本実施の形態においては、発泡スチロール４０、４１、４２、４３、４４、４５のように、充填材として横方向に切断されたような構造のものを用いた例について説明したが、必ずしもこれに限定されるものではない。例えば、発泡スチロール４４、４５が一体となった構造のものが縦方向や斜め方向に切断されたような構造のものを用いたり、発泡スチロール４４同士が上下に一体となった構造のものが縦方向や斜め方向に切断されたような構造のものを用いたりと、さまざまな構造の充填材が使用可能である。また、充填材の形状に関しても直方体形状にとどまることなく、さまざまな形状のものが使用可能である。以上のことは、上記金属製の充填材を用いた場合にも言えることである。
【００４３】
また、本実施の形態においては、充填材として、梁部材２２の外形に沿った内面形状を備えた発泡スチロール４０、４１、４２、４３、４４、４５を用いているため、各溝１８において各梁部材２２の両端を上下方向および上下流方向の両方向にガイドできるが、必ずしもこのような形状に限定されるものではない。すなわち、各溝１８において各梁部材２２の両端を上下方向または上下流方向の内の少なくとも上下方向にガイド可能な所定形状を有した充填材でありさえすればよい。
【００４４】
また、本実施の形態においては、梁部材上方移動規制手段として、規制板ユニット５０（３つの矩形の規制板５０ａ、５０ｂ、５０ｃより構成される）、アンカーボルト６０とナット６１と規制板ユニット５１（３つの矩形の規制板５１ａ、５１ｂ、５１ｃより構成される）、アンカーボルト６０とナット６１を用いた例について説明したが、これはほんの一例であり、必ずしもこのような構成に限定されるものではない。また、規制板ユニットに関しても、必ずしも分割された３つの矩形の規制板にする必要はなく、コの字状の一体板等、さまざまな構成が考えられる。
【００４５】
（実施の形態２）
図６は本発明の実施の形態２に係る砂防堰堤用土砂捕捉部材であって、図１に示す溝１８に設置された砂防堰堤用土砂捕捉部材２０を充填材としての発泡スチロール４０、４１、４２、４３、４４、４５とともに取り出し、下流側から見た正面図、図７は図６のＤ部拡大図である。本実施の形態において、実施の形態１と異なるのは、図７に示すＤ部拡大部分であるため、実施の形態１と同一の構成要素については、同一の番号を付与して詳細な説明は省略し、異なる部分についてのみ詳述する。
【００４６】
図７において、７０は各梁部材２２の回転を規制するための規制手段としての鋼製のさや管であり、さや管７０は下向き突出部２２ａの外周の先端側に溶接固定されている。このさや管７０は、下向き突出部２２ａの先端と上向き突出部２２ｂの先端が当接した面の外周を含めた近傍を外側から覆っている。したがって、砂防堰堤用土砂捕捉部材２０が激しい土石流を捕捉した場合にも、各梁部材２２が回転するのを防止できる。また、上述したように、さや管７０を下向き突出部２２ａ側に設けると、ゴミや砂が溜まりにくいため好適である。また、さや管７０は、各梁部材２２を順次積み重ねる施工工程時のガイド手段の役目も果たす。
【００４７】
本実施の形態においては、実施の形態１同様に、下向き突出部２２ａの先端と上向き突出部２２ｂの先端は鋼製の円板で蓋をされた構造である例について説明したが、必ずしもこれに限定されるものではなく、例えば蓋のない管状態のままであっても構わない。
【００４８】
また、本実施の形態においては、さや管７０が下向き突出部２２ａの外周の先端側に溶接固定されている例について説明したが、必ずしもこれに限定されるものではなく、上向き突出部２２ｂの外周の先端側に溶接固定されてあってもよい。また、さや管７０が下向き突出部２２ａの外周の先端側と上向き突出部２２ｂの外周の先端側にそれぞれ溶接固定されてあってもよい。この場合は、一方のさや管７０の外径が他方のさや管７０の内径よりも小さければよい。このように、下向き突出部２２ａと上向き突出部２２ｂの両方にさや管７０を設けると、規制力がさらに向上する。
【００４９】
以上のように、砂防堰堤用土砂捕捉部材２０が激しい土石流を捕捉した場合にも、各梁部材２２が回転しないようにするためには、上向き突出部２２ｂの外周の先端側または下向き突出部２２ａの外周の先端側の少なくともいずれか一方に、各梁部材２２の回転を規制するための規制手段としてのさや管７０が設けられていればよい。
【００５０】
また、本実施の形態においては、さや管７０を規制手段として用いる例について説明したが、必ずしもこれに限定されるものではない。以下に、規制手段の別の形態について、図８〜図１０を用いて説明する。
【００５１】
図８及び図９において、８０ａ、８０ｂは規制手段としての鋼製の円弧状規制部材である。円弧状規制部材８０ａは下向き突出部２２ａの外周の先端側であり、かつ、下流側に溶接固定されている。また、円弧状規制部材８０ｂは下向き突出部２２ａの外周の先端側であり、かつ、上流側に溶接固定されている。この円弧状規制部材８０ａ、８０ｂは、例えば、上述したさや管７０から一部を切り出したような構造をしている。また、この円弧状規制部材８０ａ、８０ｂは、下向き突出部２２ａの先端と上向き突出部２２ｂの先端が当接した面の外周の少なくとも一部を含めた近傍を外側から覆っている。また、円弧状規制部材８０ａ、８０ｂの設置位置は、必ずしも図９に示すような、下向き突出部２２ａの中心線アに対して対称な配置とする必要はない。
【００５２】
この円弧状規制部材８０ａ、８０ｂも、実施の形態１同様に、下向き突出部２２ａの外周の先端側にそれぞれ溶接固定されている例について説明したが、必ずしもこれに限定されるものではなく、上向き突出部２２ｂの外周の先端側に溶接固定されてあってもよい。また、円弧状規制部材８０ａ、８０ｂが下向き突出部２２ａの外周の先端側と上向き突出部２２ｂの外周の先端側にそれぞれ溶接固定されてあってもよい。この場合は、下向き突出部２２ａ側に設けた円弧状規制部材８０ａ、８０ｂと上向き突出部２２ｂ側に設けた円弧状規制部材８０ａ、８０ｂが干渉しないように位相をずらして設置すればよい。
【００５３】
また、規制手段として、図９に示すような形状の円弧状規制部材８０ａ、８０ｂを使用する場合についても説明したが、その形状も必ずしもこれに限定されるものではない。例えば、図１０に示すような形状の平板状規制部材９０ａ、９０ｂを採用することも可能である。また、平板状規制部材９０ａ、９０ｂの設置位置も、円弧状規制部材８０ａ、８０ｂの場合同様に、必ずしも図１０に示すような、下向き突出部２２ａの中心線アに対して対称な配置とする必要はない。また、この平板状規制部材９０ａ、９０ｂに関しても、上記円弧状規制部材８０ａ、８０ｂ同様に、上向き突出部２２ｂの外周の先端側に溶接固定されてあってもよい。また、平板状規制部材９０ａ、９０ｂが下向き突出部２２ａの外周の先端側と上向き突出部２２ｂの外周の先端側にそれぞれ溶接固定されてあってもよい。この場合は、下向き突出部２２ａ側に設けた平板状規制部材９０ａ、９０ｂと上向き突出部２２ｂ側に設けた平板状規制部材９０ａ、９０ｂが干渉しないように位相をずらして設置すればよい。
【００５４】
以上のように、砂防堰堤用土砂捕捉部材２０が激しい土石流を捕捉した場合にも、各梁部材２２が回転しないようにするためには、上向き突出部２２ｂの外周の先端側または下向き突出部２２ａの外周の先端側の少なくともいずれか一方に、各梁部材２２の回転を規制するための規制手段が設けられていればよい。
【符号の説明】
【００５５】
１０  透過型砂防堰堤の本体部分
１１、１２  堰堤本体部
１４  連結部
１６  水路
１８  溝
２０  砂防堰堤用土砂捕捉部材
２２  梁部材
２２ａ  下向き突出部
２２ｂ  上向き突出部
４０、４１、４２、４３、４４、４５  発泡スチロール
５０、５１  規制板ユニット
５０ａ、５０ｂ、５０ｃ、５１ａ、５１ｂ、５１ｃ  規制板
６０  アンカーボルト
６１  ナット
７０  さや管
８０ａ、８０ｂ  円弧状規制部材
９０ａ、９０ｂ  平板状規制部材
【図１】
2010168891.tif 000003
【図２】
2010168891.tif 000004
【図３】
2010168891.tif 000005
【図４】
2010168891.tif 000006
【図５】
2010168891.tif 000007
【図６】
2010168891.tif 000008
【図７】
2010168891.tif 000009
【図８】
2010168891.tif 000010
【図９】
2010168891.tif 000011
【図１０】
2010168891.tif 000012